(57)【特許請求の範囲】
【請求項１】
回路基板に設けた高周波回路を収納する空間を有し且つ一次放射器から入力されたマイクロ波を伝送する導波管部を一体に形成したハウジングを具えるローノイズブロックコンバータ（ＬＮＢ）において、
前記ハウジングは前記高周波回路を収納し且つ電磁シールドするために複数に区画して設けられた空間を前記マイクロ波が入力される方向と反対の方向に開口させて形成し、前記回路基板に同回路基板から突出するようにプローブを設け、さらに前記導波管部の側面の同導波管部の後端から所要の位置に前記プローブを挿通するための開口部を設けたことを特徴とするローノイズブロックコンバータ。
【請求項２】
前記開口部は、前記導波管部の後端から所要の位置まで垂設したスリットとしたことを特徴とする請求項１に記載のローノイズブロックコンバータ。
【請求項３】
前記スリットに導電部材を勘合させて、前記プローブを挿通する孔を形成したことを特徴とする請求項２に記載のローノイズブロックコンバータ。
【請求項４】
前記導波管部の後部を短絡（ショート）する部材を前記ハウジングの蓋としたことを特徴とする請求項１乃至３に記載のローノイズブロックコンバータ。
【発明の詳細な説明】
【０００１】
【発明の属する技術分野】
本発明は、一次放射器と一体にハウジングを構成したローノイズブロックコンバータ（ＬＮＢ）に関する。
【０００２】
【従来の技術】
従来、一次放射器と一体にハウジングを構成したローノイズブロックコンバータ（以下ＬＮＢと称する）は、例えば、衛星放送受信用のパラボラアンテナ上に配設され、導波管の先端にホーンを有する。アンテナで受信したマイクロ波は導波管を経てＬＮＢに伝送され、ここで中間周波数に変換される。次いでこの中間周波数はＬＮＢから、衛星受信機に供給される。
【０００３】
図３は従来の一次放射器と一体にハウジングを構成したＬＮＢの実施例を示す断面図であり、ダイキャストシールドを設けた例（ア）と、導波管のダイキャストショートを設けた例（イ）である。１は金属製のハウジングであり、例えば、アルミニューム或いは亜鉛等の材料を用いたダイキャストシャーシである。２は一次放射器であり、導波管と先端に設けたホーンとを具える。３は超低雑音増幅回路等の回路を電磁シールドし、導波管を短絡（ショート）するためのダイキャストシールドである。3aは導波管を短絡（ショート）するためのダイキャストショートである。４は電磁シールドを行なうとともに、ハウジング内に湿気、ゴミ等の侵入を防ぐための金属製のシールド板（蓋）である。５は、例えば、テフロン等の誘電体板上に信号線パターンや接地パターンを施し、そのパターンにＨＥＭＴ（High Electron Mobility Transistor ）や、ガリウムひ素トランジスタなどを搭載したマイクロストリップ線路で構成した回路基板である。６は、前記回路基板５に実装した回路部品である。
【０００４】
ところで、上記図３（ア）において、ダイキャストシールド３は超低雑音増幅回路等の高周波回路を電磁シールドするとともに、導波管を短絡（ショート）するために必要なもので、回路基板５に設けたマイクロストリップ線路と、導波管とを結合するプローブの位置から受信するマイクロ波の1/4 波長の距離だけ後方にダイキャストシールド３の底面となるように設置される。
【０００５】
また、上記図３（イ）において、ダイキャストシャーシ１を掘り込むことにより得た空間に超低雑音増幅回路等の高周波回路を収納して電磁シールド効果を得るようにした例で、ここに使用するダイキャストショート3aは導波管を短絡（ショート）するために必要であり、回路基板５に設けたプローブの位置からマイクロ波の1/4 波長の距離だけ後方にダイキャストショート3aの底面となるように設置される。
【０００６】
上述したように、図３（ア）及び図３（イ）の従来例は、ダイキャストシャーシ１の他に、ダイキャストシールド３または、ダイキャストショート3aを必要とする。従って、何れの従来例もダイキャストシャーシ１と、シールド板４とを合わせると、主構造部品が３点となり、部品数が多いため、部品数の削減が要望されていた。
【０００７】
特に、ダイキャストシールド３または、ダイキャストショート3aは複雑な形状、シールド効果及び寸法精度等を要求されるため、ダイキャストによる精密部品が必要となり、コストアップの原因となっていた。
【０００８】
【発明が解決しようとする課題】
本発明は上記問題点に鑑みなされたもので、ダイキャスト部品数を削減したローノイズブロックコンバータ（ＬＮＢ）を提供することを目的とする。
【０００９】
【課題を解決するための手段】
上記目的を達成するために、回路基板に設けた高周波回路を収納する空間を有し且つ一次放射器から入力されたマイクロ波を伝送する導波管部を一体に形成したハウジングを具えるローノイズブロックコンバータ（ＬＮＢ）において、前記ハウジングは前記高周波回路を収納し且つ電磁シールドするために複数に区画して設けられた空間を前記マイクロ波が入力される方向と反対の方向に開口させて形成し、前記回路基板に同回路基板から突出するようにプローブを設け、さらに前記導波管部の側面の同導波管部の後端から所要の位置に前記プローブを挿通するための開口部を設けるように構成した。
【００１０】
また、前記開口部は、前記導波管部の後端から所要の位置まで垂設したスリットで構成した。
【００１１】
また、前記スリットに導電部材を勘合させて、前記プローブを挿通する孔を形成した。
【００１２】
また、上記導波管部の後部を上記開口から所要位置で短絡（ショート）する部材をハウジングの蓋とした。
【００１３】
【発明の実施の形態】
以上のように構成したので、例えば、導波管部の側面に垂設した開口に、回路基板から突設したプローブを導波管内に挿通する状態に保持する。尚、プローブは導波管部の後端から受信するマイクロ波の1/4 波長の位置に保持されるとともに、導波管部の後端は短絡（ショート）されている。従って、導波管内のマイクロ波は前記プローブにより結合し、ローノイズブロックコンバータ（ＬＮＢ）に伝送され、ここで中間周波数に変換される。
【００１４】
さらに、導波管部の後端の短絡（ショート）を電磁シールドを行なうハウジングの蓋と共用できる。
【００１５】
【実施例】
以下、本発明によるローノイズブロックコンバータ（ＬＮＢ）について、図を用いて詳細に説明する。図１は本発明によるローノイズブロックコンバータ（ＬＮＢ）の実施例を示す模式図である。なお、従来例と同じ個所は同一番号を付した。１は金属製のハウジングであり、例えば、アルミニューム或いは亜鉛等の材料を用いたダイキャストシャーシである。2aは一次放射器２の導波管部であり、円筒形状の側面に沿って、受信するマイクロ波のほぼ1/4 波長の長さのスリット状の開口部８を具える。５は、例えば、テフロン等の誘電体板上に信号線パターンや接地パターンを施し、そのパターンにＨＥＭＴ（High Electron Mobility Transistor ）や、ガリウムひ素トランジスタなどを搭載し、さらに前記パターンにより構成されたマイクロストリップ線路の端部に結合のためのプローブ７を設けた回路基板である。尚、開口部８はダイキャストで成形したスリットに導電部材を嵌合し、プローブ７を挿通する孔としても良い。
【００１６】
本発明によるローノイズブロックコンバータ（ＬＮＢ）の構造及び動作を図１、図２に従い説明する。尚、図２は本発明によるローノイズブロックコンバータ（ＬＮＢ）の実施例を示す要部断面図である。一次放射器２をダイキャストシャーシ１の端部に垂設するとともに、回路基板５を前記一次放射器２に垂直方向にダイキャストシャーシ１に収納する。そして、前記一次放射器２の導波管部2aの後端から受信するマイクロ波の1/4波長の位置に開口部８を設け、前記回路基板５の端部に設けたプローブ７を開口部８から導波管部2aの内部へ挿通する。また、導波管部2aの後部開口を上記開口から同1/4 波長の位置で短絡（ショート）するとともに、ダイキャストシャーシ１（ハウジング）の電磁シールド及びハウジング内に湿気、ゴミ等の侵入を防ぐため、ダイキャストシャーシ１（ハウジング）の背面にシールド板（蓋）４を装着した。尚、本発明はダイキャストシャーシ１を掘り込み複数に区画して設けた空間に超低雑音増幅回路等の高周波回路を収納して電磁シールド効果を得ている。
【００１７】
また、プローブ７を構成する方法として、該当するマイクロストリップ線路部分の回路基板５を切欠いて突出するようにしても、また、回路基板５の該当するマイクロストリップ線路部分にピン等を取り付けるようにしても良い。
【００１８】
【発明の効果】
以上説明したように、本発明はダイキャスト部品数を削減したローノイズブロックコンバータ（ＬＮＢ）を提供する。従来の実施例は、図３に示したように、ダイキャストシールド３または、ダイキャストショート3aを必要としていたが、本発明ではそれらを削減できる。従って、高価なダイキャスト部品数を削減することにより、コスト低減が計れるメリットがある。また、シールド板（蓋）４を回路基板５（開口）位置から1/4 波長の位置に設置するので、ＬＮＢの厚みを小さくできる。
【図面の簡単な説明】
【図１】本発明によるローノイズブロックコンバータ（ＬＮＢ）の実施例を示す模式図である。
【図２】本発明によるローノイズブロックコンバータ（ＬＮＢ）の実施例を示す要部断面図である。
【図３】従来の一次放射器と一体にハウジングを構成したＬＮＢの実施例を示す断面図であり、ダイキャストシールドを設けた例（ア）と、導波管のダイキャストショートを設けた例（イ）である。
【符号の説明】
１ ダイキャストシャーシ（ハウジング）
２ 一次放射器
2a 導波管部
3a ダイキャストショート
３ ダイキャストシールド
４ シールド板（蓋）
５ 回路基板
６ 回路部品
７ プローブ
８ 開口部
【図１】
0003890678.tif 000002
【図２】
0003890678.tif 000003
【図３】
0003890678.tif 000004